(57)【要約】【課題】  救助が必要となった使用者に関する情報を出力する情報送信システムを提供する。【解決手段】  情報送信システムは、携帯端末と、災害情報を携帯端末に発信し、携帯端末の位置情報と機関ごとの管轄区域に関する情報を記録する位置情報サーバーとを備える。携帯端末で救助依頼操作が行われた場合、若しくは、所定の条件に当てはまる場合に、携帯端末は通常モードからＳＯＳモードに切り替えられる。位置情報サーバーは、外部サーバーであって、携帯端末の位置情報に対応する位置に関連する地域を管轄区域とする機関のものに対して、携帯端末の位置情報と救助依頼に関する情報を送信する。所定の条件は、災害情報に対応する災害場所と携帯端末の位置情報に対応する位置との距離が距離閾値よりも短いことと、災害情報を発信してから所定時間が経過するまでの間、携帯端末の位置の変化量が変化量閾値よりも少ないことである。【選択図】図２９
2020048093.tif 000002
【特許請求の範囲】
【請求項１】
第１携帯端末と、
災害情報を前記第１携帯端末に発信し、前記第１携帯端末の位置情報と機関ごとの管轄区域に関する情報を記録する位置情報サーバーとを備え、
前記第１携帯端末で救助依頼操作が行われた場合、若しくは、所定の条件に当てはまる場合に、前記第１携帯端末は通常モードからＳＯＳモードに切り替えられ、前記位置情報サーバーは、前記位置情報サーバーとは別の外部サーバーであって、前記第１携帯端末の位置情報に対応する位置に関連する地域を前記管轄区域とする前記機関のものに対して、前記第１携帯端末の位置情報と救助依頼に関する情報を送信し、
前記所定の条件に当てはまることは、前記災害情報に対応する災害場所と前記第１携帯端末の位置情報に対応する位置との距離が距離閾値よりも短いことと、前記災害情報を発信してから所定時間が経過するまでの間、前記第１携帯端末の位置の変化量が変化量閾値よりも少ないことと、前記災害情報を発信してから前記所定時間が経過するまでの間に、前記第１携帯端末から前記位置情報サーバーに情報を送信するための操作が行われていないことのうち、少なくとも２以上の条件が当てはまることである、情報送信システム。
【請求項２】
前記ＳＯＳモードで、前記第１携帯端末は、犬笛とビーコンと光のうち少なくとも１以上の手段で、ＳＯＳ信号を発信するものであり、
前記ＳＯＳ信号として発信する光は、短信号と長信号とを組み合わせた点滅光である、請求項１に記載の情報送信システム。
【請求項３】
前記ＳＯＳモードで、前記第１携帯端末は、警察と、消防・救急のうち少なくとも１以上に対して、発呼を行い、通話状態となった後に、前記携帯端末の位置情報と救助依頼と前記第１携帯端末の使用者に関する情報を含むメッセージを読み上げる、請求項１または請求項２に記載の情報送信システム。
【請求項４】
前記位置情報サーバーから前記災害情報を受信した場合であって、前記ＳＯＳモードで、前記第１携帯端末は、前記災害情報と前記第１携帯端末の位置情報とに基づいて、警察への電話のための発呼と、消防・救急への電話のための発呼と、犬笛と、ビーコンと、光の中から、前記第１携帯端末が設定した手段で、ＳＯＳ信号を発信する、請求項１に記載の情報送信システム。
【請求項５】
前記ＳＯＳモードで、前記第１携帯端末は、警察への電話のための発呼と、消防・救急への電話のための発呼と、犬笛と、ビーコンと、光から選択された手段で、ＳＯＳ信号を発信するものであり、
前記第１携帯端末で救助依頼操作が行われた場合、若しくは、前記所定の条件に当てはまる場合であって、前記第１携帯端末が前記通常モードから前記ＳＯＳモードに切り替えられる前に、前記第１携帯端末は、前記ＳＯＳモードに切り替えられることをキャンセルするための操作ボタンと前記ＳＯＳ信号を発信する手段を選択する領域を含むＳＯＳモード切替確認表示を行う、請求項１に記載の情報送信システム。
【請求項６】
前記ＳＯＳモードに切り替えられた後、一定間隔ごとに、前記第１携帯端末は、前記ＳＯＳモードを維持することをキャンセルするための操作ボタンを含むＳＯＳモード維持確認表示を行う、請求項５に記載の情報送信システム。
【請求項７】
前記ＳＯＳモードで、前記第１携帯端末は、犬笛と音声で、ＳＯＳ信号を発信するものであり、
前記ＳＯＳモードに切り替えられた後、前記第１携帯端末は、犬笛で、前記ＳＯＳ信号を発信させ、
犬笛での前記ＳＯＳ信号の発信の後であって、且つ犬の鳴き声を含む音声が集音された後に、前記第１携帯端末は、音声で前記ＳＯＳ信号を発信させる、請求項１に記載の情報送信システム。
【請求項８】
前記位置情報サーバーから送られてきた、前記第１携帯端末の位置情報を表示する第２携帯端末を更に備え、
前記第１携帯端末が前記通常モードから前記ＳＯＳモードに切り替えられた場合には、前記第２携帯端末は、前記第１携帯端末の位置情報とともに前記第1携帯端末がＳＯＳモードであることを示す情報を表示する、請求項１〜７のいずれかに記載の情報送信システム。
【請求項９】
前記第１携帯端末は、第１使用者のＩＤで、位置情報プログラムにログインしたものであり、
前記第２携帯端末は、前記位置情報プログラム上のグループチャットで前記第１使用者と同じグループに属する第２使用者のＩＤで、前記位置情報プログラムにログインしたものであり、
前記第１携帯端末が前記通常モードから前記ＳＯＳモードに切り替えられた場合には、前記第２携帯端末における前記グループチャットに、前記第１携帯端末が救助を依頼する旨のメッセージが加えられる、請求項８に記載の情報送信システム。
【請求項１０】
災害情報を第１携帯端末に発信し、前記第１携帯端末の位置情報と機関ごとの管轄区域に関する情報を記録する位置情報サーバーであって、
前記第１携帯端末で救助依頼操作が行われた場合、若しくは、所定の条件に当てはまる場合に、前記第１携帯端末は通常モードからＳＯＳモードに切り替えられ、前記位置情報サーバーは、前記位置情報サーバーとは別の外部サーバーであって、前記第１携帯端末の位置情報に対応する位置に関連する地域を前記管轄区域とする前記機関のものに対して、前記第１携帯端末の位置情報と救助依頼に関する情報を送信し、
前記所定の条件に当てはまることは、前記災害情報に対応する災害場所と前記第１携帯端末の位置情報に対応する位置との距離が距離閾値よりも短いことと、前記災害情報を発信してから所定時間が経過するまでの間、前記第１携帯端末の位置の変化量が変化量閾値よりも少ないことと、前記災害情報を発信してから前記所定時間が経過するまでの間に、前記第１携帯端末から前記位置情報サーバーに情報を送信するための操作が行われていないことのうち、少なくとも２以上の条件が当てはまることである、位置情報サーバー。
【発明の詳細な説明】
【技術分野】
【０００１】
本発明は、携帯端末の位置情報を記録し、携帯端末に災害情報などを送信する情報送信システムなどに関する。
【背景技術】
【０００２】
特許文献１などで、携帯端末に、当該携帯端末と別の携帯端末の位置情報を開示する位置情報システムが提案されている。
【先行技術文献】
【特許文献】
【０００３】
【特許文献１】特開２００９−１６５０９１号公報
【発明の概要】
【発明が解決しようとする課題】
【０００４】
しかしながら、災害時などに救助が必要となった使用者に関する情報への対応が十分に考慮されていない。
【０００５】
したがって本発明の目的は、救助が必要となった使用者に関する情報を出力する情報送信システムなどを提供することである。
【課題を解決するための手段】
【０００６】
本発明に係る情報送信システムは、第１携帯端末と、災害情報を第１携帯端末に発信し、第１携帯端末の位置情報と機関ごとの管轄区域に関する情報を記録する位置情報サーバーとを備え、第１携帯端末で救助依頼操作が行われた場合、若しくは、所定の条件に当てはまる場合に、第１携帯端末は通常モードからＳＯＳモードに切り替えられ、位置情報サーバーは、位置情報サーバーとは別の外部サーバーであって、第１携帯端末の位置情報に対応する位置に関連する地域を管轄区域とする機関のものに対して、第１携帯端末の位置情報と救助依頼に関する情報を送信し、所定の条件に当てはまることは、災害情報に対応する災害場所と第１携帯端末の位置情報に対応する位置との距離が距離閾値よりも短いことと、災害情報を発信してから所定時間が経過するまでの間、第１携帯端末の位置の変化量が変化量閾値よりも少ないことと、災害情報を発信してから所定時間が経過するまでの間に、第１携帯端末から位置情報サーバーに情報を送信するための操作が行われていないことのうち、少なくとも２以上の条件が当てはまることである。
【０００７】
このため、携帯端末の位置に近い行政機関などの外部サーバーの操作者に、救助依頼操作が行われた携帯端末の位置情報など、救助が必要となった使用者に関する情報を知らせることが可能になる。
また、災害によって意識を失うなど、携帯端末を操作することが出来ない状態でも、所定の条件下で、自動的に救助依頼に関する情報などを位置情報サーバー、及び位置情報サーバー経由で外部サーバーに知らせることが可能になる。
【０００８】
好ましくは、ＳＯＳモードで、第１携帯端末は、犬笛とビーコンと光のうち少なくとも１以上の手段で、ＳＯＳ信号を発信するものであり、ＳＯＳ信号として発信する光は、短信号と長信号とを組み合わせた点滅光である。
【０００９】
このため、携帯端末の近くに来た救助者などに、当該携帯端末の存在を知らせることが可能になる。
【００１０】
さらに好ましくは、ＳＯＳモードで、第１携帯端末は、警察と、消防・救急のうち少なくとも１以上に対して、発呼を行い、通話状態となった後に、携帯端末の位置情報と救助依頼と第１携帯端末の使用者に関する情報を含むメッセージを読み上げる。
【００１１】
また、好ましくは、位置情報サーバーから災害情報を受信した場合であって、ＳＯＳモードで、第１携帯端末は、災害情報と第１携帯端末の位置情報とに基づいて、警察への電話のための発呼と、消防・救急への電話のための発呼と、犬笛と、ビーコンと、光の中から、第１携帯端末が設定した手段で、ＳＯＳ信号を発信する。
【００１２】
また、好ましくは、ＳＯＳモードで、第１携帯端末は、警察への電話のための発呼と、消防・救急への電話のための発呼と、犬笛と、ビーコンと、光から選択された手段で、ＳＯＳ信号を発信するものであり、第１携帯端末で救助依頼操作が行われた場合、若しくは、所定の条件に当てはまる場合であって、第１携帯端末が通常モードからＳＯＳモードに切り替えられる前に、第１携帯端末は、ＳＯＳモードに切り替えられることをキャンセルするための操作ボタンとＳＯＳ信号を発信する手段を選択する領域を含むＳＯＳモード切替確認表示を行う。
【００１３】
さらに好ましくは、ＳＯＳモードに切り替えられた後、一定間隔ごとに、第１携帯端末は、ＳＯＳモードを維持することをキャンセルするための操作ボタンを含むＳＯＳモード維持確認表示を行う。
【００１４】
このため、当該携帯端末の使用者は、一定間隔ごとに、ＳＯＳモードを続けるか否かを判断することが可能になる。
【００１５】
また、好ましくは、ＳＯＳモードで、第１携帯端末は、犬笛と音声で、ＳＯＳ信号を発信するものであり、ＳＯＳモードに切り替えられた後、第１携帯端末は、犬笛で、ＳＯＳ信号を発信させ、犬笛でのＳＯＳ信号の発信の後であって、且つ犬の鳴き声を含む音声が集音された後に、第１携帯端末は、音声でＳＯＳ信号を発信させる。
【００１６】
犬笛に対応する周波数の信号の発信により、比較的遠隔地（約２〜４ｋｍ）に居る救助犬に携帯端末からのＳＯＳ発信を検知させ、当該救助犬や捜索者が近づいてきた後に、音声で携帯端末からのＳＯＳ信号を検知させる。これにより、犬笛に対応する周波数の信号だけの発信、若しくは音声だけの発信に比べて、携帯端末や当該携帯端末の使用者を見つけることが出来る可能性を高めることが出来る。
また、救助犬や捜索者に発見される可能性が高いタイミングで音声でのＳＯＳ信号を発信するため、常時、音声でＳＯＳ信号を発信する形態に比べて、携帯端末の電力消費を抑えることが可能になる。
【００１７】
また、好ましくは、位置情報サーバーから送られてきた、第１携帯端末の位置情報を表示する第２携帯端末を更に備え、第１携帯端末が通常モードからＳＯＳモードに切り替えられた場合には、第２携帯端末は、第１携帯端末の位置情報とともに第1携帯端末がＳＯＳモードであることを示す情報を表示する。
【００１８】
さらに好ましくは、第１携帯端末は、第１使用者のＩＤで、位置情報プログラムにログインしたものであり、第２携帯端末は、位置情報プログラム上のグループチャットで第１使用者と同じグループに属する第２使用者のＩＤで、位置情報プログラムにログインしたものであり、第１携帯端末が通常モードからＳＯＳモードに切り替えられた場合には、第２携帯端末におけるグループチャットに、第１携帯端末が救助を依頼する旨のメッセージが加えられる。
【００１９】
本発明に係る位置情報サーバーは、災害情報を第１携帯端末に発信し、第１携帯端末の位置情報と機関ごとの管轄区域に関する情報を記録する位置情報サーバーであって、第１携帯端末で救助依頼操作が行われた場合、若しくは、所定の条件に当てはまる場合に、第１携帯端末は通常モードからＳＯＳモードに切り替えられ、位置情報サーバーは、位置情報サーバーとは別の外部サーバーであって、第１携帯端末の位置情報に対応する位置に関連する地域を管轄区域とする機関のものに対して、第１携帯端末の位置情報と救助依頼に関する情報を送信し、所定の条件に当てはまることは、災害情報に対応する災害場所と第１携帯端末の位置情報に対応する位置との距離が距離閾値よりも短いことと、災害情報を発信してから所定時間が経過するまでの間、第１携帯端末の位置の変化量が変化量閾値よりも少ないことと、災害情報を発信してから所定時間が経過するまでの間に、第１携帯端末から位置情報サーバーに情報を送信するための操作が行われていないことのうち、少なくとも２以上の条件が当てはまることである。
【発明の効果】
【００２０】
以上のように本発明によれば、救助が必要となった使用者に関する情報を出力する情報送信システムなどを提供することができる。
【図面の簡単な説明】
【００２１】
【図１】本実施形態における位置情報出力システムの構成図である。
【図２】２０１６年８月３日８時８分時点における位置情報データベースのコンテンツ例を示す図である。
【図３】グループ情報データベースのコンテンツ例を示す図である。
【図４】２０１６年８月３日８時８分時点における第１携帯端末の第１画面の表示例で、第１使用者位置情報表示領域の上方領域が表示されたものある。
【図５】２０１６年８月３日８時８分時点における第１携帯端末の第１画面の表示例で、第１使用者位置情報表示領域の下方領域が表示されたものである。
【図６】図４の状態から、グループ名称：田中家に対応するグループの第１グループ名称表示領域がクリックされて表示された第２画面の表示例である。
【図７】図４の状態から、グループ名称：田中家に対応するグループの位置通知ボタンがクリックされて表示された第２画面の表示例である。
【図８】図４の状態から、重畳された第１割り込み画面の表示例である。
【図９】第２割り込み画面の表示例であって、「メッセージを送信する」ボタンがクリックされる前のものである。
【図１０】図９の状態から、「無事を報告する」ボタンがクリックされた後の第１画面の表示例である。
【図１１】第２割り込み画面の表示例であって、「メッセージを送信する」ボタンがクリックされた後のものである。
【図１２】図１１の状態から、第２メッセージ入力領域に入力されたメッセージが送信された後における、グループ名称：田中家に対応する第２画面の表示例である。
【図１３】図１１の状態から、第２メッセージ入力領域に入力されたメッセージが送信された後における、グループ名称：実家に対応する第２画面の表示例である。
【図１４】２０１６年８月３日８時３１分時点における位置情報データベースのコンテンツ例を示す図である。
【図１５】２０１６年８月３日８時３２分時点における第１携帯端末の第１画面の表示例である。
【図１６】２０１６年８月３日８時３２分時点における位置情報データベースのコンテンツ例を示す図である。
【図１７】２０１６年８月３日８時３３分時点における第１携帯端末の第１画面の表示例である。
【図１８】２０１６年８月３日８時３３分時点における位置情報データベースのコンテンツ例を示す図である。
【図１９】第３画面の表示例である。
【図２０】図１９の状態から、最上段の災害情報（第１災害情報）を示す領域をクリックして、切り替え表示された第４画面の例である。
【図２１】災害取り消し情報を含む第１画面の表示例である。
【図２２】図１９の状態から、災害取り消し情報を受信した場合の第３画面の表示例である。
【図２３】第２割り込み画面の表示例であって、図６の状態からさらに第２画像データ送信操作ボタンがクリックされた後のものである。
【図２４】図６の状態から、画像データが送信されて送信対象画像が、グループ名称：田中家に対応するグループのグループチャットに加えられた状態の第２画面の表示例である。
【図２５】図６の状態から、音声データが送信されて録音された音声が再生可能な状態で、グループ名称：田中家に対応するグループのグループチャットに加えられた状態の第２画面の表示例である。
【図２６】図１１の状態から、画像データが送信されて送信対象画像が、グループ名称：田中家に対応するグループのグループチャットに加えられた状態の第２画面の表示例である。
【図２７】第２割り込み画面の表示例であって、「メッセージを送信する」ボタンに代えて、「無事でないことを報告する」ボタンが設けられたものである。
【図２８】図２７の状態から、「無事でないことを報告する」ボタンがクリックされた後における、グループ名称：田中家に対応する第２画面の表示例である。
【図２９】図４の状態から、重畳された第３割り込み画面の表示例である。
【図３０】図４の状態から、重畳された第４割り込み画面の表示例である。
【図３１】第５３携帯端末がＳＯＳモードに切り替わった際の位置情報データベースのコンテンツ例を示す図である。
【図３２】第５３携帯端末がＳＯＳモードに切り替わった際の第１画面の例である。
【図３３】機関情報データベースのコンテンツ例を示す図である。
【発明を実施するための形態】
【００２２】
以下、本実施形態について、図を用いて説明する。本実施形態における位置情報出力システム（情報送信システム）１は、情報源発信部２０、位置情報サーバー３０（サーバー通信部３１、サーバー記録部３３、サーバー制御部３５）、携帯電話などの携帯端末（第５１携帯端末Ｍ５１〜第５５携帯端末Ｍ５５）、外部サーバー９０を備える（図１参照）。
本実施形態では、５つの携帯端末を使って、互いの位置情報や安否情報を通知しあう形態を説明するが、携帯端末の数は、５つに限るものではない。
【００２３】
携帯端末（第５１携帯端末Ｍ５１〜第５５携帯端末Ｍ５５）のそれぞれは、通信部１１、記録部１３、マイク１４、制御部１５、発信部１７、ストロボ発光部１８、表示部１９を有する。
通信部１１は、サーバー通信部３１と通信したり、当該携帯端末と無線リンクを形成する基地局と通信したりする。
記録部１３には、本実施形態における位置情報プログラム（情報送信プログラム）がインストールされる。
マイク１４は、携帯端末の周囲の音声を電気信号に変換する。
制御部１５は、位置情報プログラムを実行し、携帯端末の各部（通信部１１、記録部１３、発信部１７）を制御する。
【００２４】
発信部１７は、犬笛、救助用のビーコンなど、後述するＳＯＳモード時にＳＯＳ信号を発信するハードウエアである。
ただし、位置情報プログラムなどソフトウエア上で、犬笛に相当する周波数の信号や、救助用のビーコンに相当する周波数の信号を生成し、これらのうち少なくとも１つがＳＯＳ信号として、携帯端末に内蔵されるスピーカーで出力される形態であってもよい。
ストロボ発光部１８は、撮影時などに発光する。
表示部１９は、第１画面Ｐ１などを表示する。
本実施形態では、ＳＯＳ信号の１つとして光が選択された場合に、ストロボ発光部１８若しくは、表示部１９が点滅光などで発光する。
【００２５】
使用者ＩＤ：１１の使用者（使用者名称：パパ、太郎）が第５１携帯端末Ｍ５１にインストールされた位置情報プログラム（情報送信プログラム）に使用者ＩＤ：１１でログインし、使用者ＩＤ：１２の使用者（使用者名称：花子）が第５２携帯端末Ｍ５２にインストールされた位置情報プログラムに使用者ＩＤ：１２でログインし、使用者ＩＤ：１３の使用者（使用者名称：進）が第５２携帯端末Ｍ５３にインストールされた位置情報プログラムに使用者ＩＤ：１３でログインし、使用者ＩＤ：２３の使用者（使用者名称：おじいちゃん）が第５４携帯端末Ｍ５４にインストールされた位置情報プログラムに使用者ＩＤ：２３でログインし、使用者ＩＤ：２４の使用者（使用者名称：おばあちゃん）が第５５携帯端末Ｍ５５にインストールされた位置情報プログラムに使用者ＩＤ：２４でログインする例を示す。
また、図４などの画面表示例は、使用者ＩＤ：１１の使用者（使用者名称：パパ、太郎）が、第５１携帯端末Ｍ５１にインストールされた位置情報プログラムに、使用者ＩＤ：１１でログインした後に表示されるものである。
【００２６】
位置情報サーバー３０と携帯端末の間の情報送受信は、位置情報プログラムを介して行われる。
なお、本実施形態では、各携帯端末にインストールされた位置情報プログラムを用いる形態を説明するが、各携帯端末がネットワークを介してＡＳＰ（Application Service Provider）のサーバーにアクセスし、当該ＡＳＰのサーバー-に格納された位置情報プログラムを用いる形態であってもよい。
【００２７】
情報源発信部２０は、災害情報を位置情報サーバー３０のサーバー通信部３１に出力する。
災害情報は、少なくとも災害の場所に関する情報を有し、本実施形態では、災害の種別、場所、及び日時に関する情報を有する。
本実施形態では、災害情報が、地震に関する災害情報であるとして説明するが、洪水など他の災害情報であってもよい。また、地震発生報告など過去に発生した情報だけでなく、雷注意や地震予知など将来に発生が予測される情報であってもよい。
【００２８】
災害情報は、災害情報に含まれる災害の規模が所定の規模以上である第１災害情報と、災害情報に含まれる災害の規模が所定の規模未満である第２災害情報と、第１災害情報や第２災害情報の発信後の第１時間Ｔ１（数秒〜数十秒程度）以内に発せられる災害取り消し情報（第１災害情報や第２災害情報を取り消す情報）に区分される。
本実施形態では、震度が５以上の地震に関する情報を第１災害情報とし、震度が５未満の地震に関する情報を第２災害情報とする。
【００２９】
情報源発信部２０は、位置情報サーバー３０とネットワーク接続が可能な状態で、気象庁など災害情報を発信出来る場所に設置される。
ただし、情報源発信部２０を設置せず、災害情報の関連情報を受けた使用者が、入出力端末７０を介して、位置情報サーバー３０に災害情報を入力し、これに基づいて、位置情報サーバー３０が災害情報を携帯端末に送信する形態であってもよい。
【００３０】
本実施形態では、情報源発信部２０から「災害の種別：地震（四国地方で最大予測震度６−でマグニチュード７．１）、場所：四国地方、日時：２０１６年８月３日８時３０分１７秒」を有する災害情報を位置情報サーバー３０が受信し、第５１携帯端末Ｍ５１〜第５５携帯端末５５は、以下に示す条件で自身の位置情報などを位置情報サーバー３０に送信する例を示す。
【００３１】
第５１携帯端末Ｍ５１は、２０１６年８月３日８時８分３２秒に位置情報を位置情報サーバー３０に送信し、２０１６年８月３日８時３１分２２秒に位置情報や無事である旨の信号（若しくは、メッセージ）などを位置情報サーバー３０に送信した。
第５２携帯端末Ｍ５２は、２０１６年８月３日８時４分１２秒に位置情報を位置情報サーバー３０に送信し、２０１６年８月３日８時３２分５３秒に位置情報や無事である旨の信号を位置情報サーバー３０に送信した。
第５３携帯端末Ｍ５３は、２０１６年８月３日８時５分２０秒に位置情報を位置情報サーバー３０に送信し、２０１６年８月３日８時３３分３秒に位置情報や無事である旨の信号などを位置情報サーバー３０に送信した。
第５４携帯端末Ｍ５４は、２０１６年８月３日７時３０分１１秒に位置情報を位置情報サーバー３０に送信し、２０１６年８月３日８時３３分２秒に位置情報や無事である旨の信号を位置情報サーバー３０に送信した。
第５５携帯端末Ｍ５５は、２０１６年８月３日７時４５分４２秒に位置情報を位置情報サーバー３０に送信し、２０１６年８月３日８時３３分１４秒に位置情報や無事である旨の信号を位置情報サーバー３０に送信した。
【００３２】
次に位置情報サーバー３０の各部（サーバー通信部３１、サーバー記録部３３、サーバー制御部３５）について、説明する。
【００３３】
位置情報サーバー３０のサーバー通信部３１は、位置情報データベースＤ１に登録された携帯端末（第５１携帯端末Ｍ５１〜第５５携帯端末Ｍ５５）のそれぞれと通信を行い、これらの携帯端末に対して災害情報を送信する前から、第２時間Ｔ２（たとえば、３０分）ごとに、各携帯端末の位置情報を取得する。
【００３４】
たとえば、各携帯端末にインストールされた位置情報プログラムを使って、各携帯端末が、位置情報サーバー３０のサーバー通信部３１に対して第２時間Ｔ２ごとに位置情報を送信する形態が考えられる。
【００３５】
また、位置情報サーバー３０のサーバー通信部３１が、通信キャリアにおける、携帯端末と無線リンクを形成する基地局、携帯端末のルーチング（通信ルートの選定）や呼設定・切断、課金等を行う移動交換機（ＭＳＣ：Mobile Switching Center）、移動交換機がカバーするエリアごとの位置登録データベースであるＶＬＲ（Visitor Location Register）、ゲートウェイ交換機（ＧＭＳＣ：Gateway Mobile Switching Center）、携帯電話番号や当該携帯端末の識別情報（ＩＭＥＩなど端末の識別番号、ＩＣＣＩＤなどＳＩＭカードの識別番号）や位置情報などのユーザー情報を管理するデータベースであるＨＬＲ（Home Location Register）の何れかと通信を行い、各携帯端末の位置情報を取得する形態が考えられる。
【００３６】
各携帯端末の位置情報を取得する際には、位置情報の詳細度合いの制限は設けず、取得出来る最も詳細なレベルの位置情報を取得し、これが位置情報データベースＤ１に記録される。
ただし、携帯端末（第１携帯端末）に当該携帯端末や他の携帯端末（第２携帯端末）の位置情報を開示する際には、携帯端末の使用者によって設定された「開示する位置情報の詳細度合い（第１詳細度パラメータｄｐ１、第２詳細度パラメータｄｐ２）」に基づいて、位置情報の詳細度合いが調整される。
【００３７】
また、位置情報サーバー３０のサーバー通信部３１は、情報源発信部２０からの災害情報を受信し、当該災害情報の受信後（若しくは、入出力端末７０による当該災害情報の入力後）に、位置情報データベースＤ１やグループ情報データベースＤ２に基づいて、携帯端末（第５１携帯端末Ｍ５１〜第５５携帯端末Ｍ５５）に、当該災害情報などを送信し、当該携帯端末からの安否回答情報や救助依頼情報を受信する。
【００３８】
位置情報サーバー３０のサーバー記録部３３は、位置情報データベースＤ１、グループ情報データベースＤ２、機関情報データベースＤ３を記録する。
また、サーバー記録部３３には、携帯端末にインストールされた位置情報プログラム（情報送信プログラム）に対応して、当該携帯端末及び外部サーバー９０と通信し、災害情報や携帯端末情報などの送受信を行うプログラムがインストールされている。
【００３９】
位置情報データベースＤ１は、携帯端末の使用者に関する情報と、携帯端末（携帯端末名称）と、当該携帯端末の位置に関する情報と、当該携帯端末から送信された安否に関する情報と、当該携帯端末から送信された救助依頼に関する情報の関係を示す。
位置情報データベースＤ１における携帯端末の使用者に関する情報は、携帯端末それぞれを介して使用者によって入力された情報（使用者設定操作で設定された情報）で、携帯端末それぞれに対応する使用者名称、使用者ＩＤ（位置情報プログラムへログインするための識別番号）、使用者マーク（写真でもよい）を有する。
使用者名称は、使用者ＩＤ：１１に対応する使用者名称：パパ、太郎のように、グループごとに異なる名称が用いられる形態であってもよい。
【００４０】
携帯端末の位置に関する情報は、ＨＬＲなど若しくは携帯端末から受信した情報で、携帯端末それぞれに対応する緯度経度情報、当該緯度経度情報に対応する地域名称、測位日時を有する。
【００４１】
位置情報データベースＤ１における緯度経度情報、測位日時は、第２時間Ｔ２ごとに、位置情報サーバー３０のサーバー通信部３１が位置情報データベースＤ１に登録された携帯端末（第５１携帯端末Ｍ５１〜第５５携帯端末Ｍ５５）と通信することにより、若しくは、サーバー通信部３１が通信キャリアにおける基地局などと通信することにより取得される。
【００４２】
位置情報データベースＤ１における緯度経度情報に対応する地域名称は、緯度経度情報を地域名称に変換するテーブル（不図示）を使って、携帯端末の緯度経度情報が地域名称に変換されたものである。
【００４３】
位置情報データベースＤ１における安否に関する情報は、位置情報サーバー３０のサーバー通信部３１が位置情報データベースＤ１に登録された携帯端末（第５１携帯端末Ｍ５１〜第５５携帯端末Ｍ５５）から安否回答操作があったか否かを示すもので、第１災害情報（災害情報のうち、災害の規模が大きいもの）を送信した時に初期化され、安否種類欄のパラメータ（安否種類パラメータｓｐ）は、総ての携帯端末の使用者の安否が不明である（安否回答操作がされていない）ことを示す初期値（ｓｐ＝１）に設定される。
【００４４】
初期化された後、位置情報データベースＤ１における安否情報は、当該携帯端末から安否回答情報を受信した時に更新される。
【００４５】
携帯端末にインストールされた位置情報プログラム上で、当該携帯端末の使用者によって安否回答のための特定の操作（安否回答操作）が行われた場合に、安否種類欄のパラメータの値が０（回答があったことを示す安否種類パラメータｓｐ＝０）に変更される。すなわち、当該安否回答のための特定の操作（安否回答操作）が行われない状態においては、初期値：１が維持される。
【００４６】
安否回答操作は、たとえば、携帯端末にインストールされた位置情報プログラム上で行われる操作の一つであり、具体的には、第１画面Ｐ１上に割り込み表示された第２割り込み画面Ｐｉ２における「無事を報告する」ボタン６０１若しくは「無事」ボタン６０２をクリックする第１操作と、「メッセージを送信する」ボタン６０３をクリックし、文字または画像もしくは音声によるメッセージを入力し、その後に第２送信ボタン６０５をクリックする第２操作を有する。
ただし、位置情報サーバー３０が情報源発信部２０から災害取り消し情報を受信した場合は、安否回答操作の有無に関わらず、総ての使用者の安否種類パラメータｓｐが０に変更される。
【００４７】
位置情報データベースＤ１における救助依頼に関する情報は、位置情報サーバー３０の通信部が位置情報データベースＤ１に登録された携帯端末（第５１携帯端末Ｍ５１〜第５５携帯端末Ｍ５５）から救助依頼操作があったか否かを示すものである。
携帯端末の使用者が救助依頼をしていない（救助依頼操作がされていない）時は、救助依頼種類欄のパラメータ（ＳＯＳパラメータｒｐ）は、ＳＯＳモードでないことを示す初期値（ｒｐ＝０）に設定される。
携帯端末から救助依頼情報を受信した時に、当該携帯端末に対応するＳＯＳパラメータｒｐについて、ＳＯＳモードである（救助依頼操作がされた）ことを示す値（ｒｐ＝１）に設定される。
携帯端末から救助依頼キャンセル情報を受信した時に、当該携帯端末に対応するＳＯＳパラメータｒｐについて、救助依頼をキャンセルした（救助依頼キャンセル操作がされた）ことを示す初期値（ｒｐ＝０）に戻される。
【００４８】
救助依頼操作は、たとえば、携帯端末にインストールされた位置情報プログラム上で行われる操作の一つであり、具体的には、第１画面Ｐ１の画面切替ボタン表示領域１０５における救助依頼ボタン１０５ｅをクリックする第４操作を有する。
【００４９】
グループ情報データベースＤ２は、位置情報プログラム内のグループチャット（グループメッセージ）で使用するグループに関する情報と、当該グループに属する使用者に関する情報の関係を示す。
グループに関する情報は、携帯端末を介して使用者によって入力された情報（グループ設定操作で設定された情報）で、グループ名称、グループＩＤ（グループの識別番号）、グループマーク（写真でもよい）を有する。
グループに属する使用者に関する情報は、携帯端末を介して使用者によって入力された情報（位置情報開示指定操作で設定された情報）で、グループに属する使用者名称、グループに属する使用者ＩＤ、平常時（安否回答パラメータｓｐが０の間）に開示する位置情報の詳細度合い（第１詳細度パラメータｄｐ１）、災害時（安否回答パラメータｓｐが１の間）やＳＯＳモード時（ＳＯＳパラメータｒｐが１の間）に開示する位置情報の詳細度合い（第２詳細度パラメータｄｐ２）を有する。
【００５０】
本実施形態では、第１詳細度パラメータｄｐ１や第２詳細度パラメータｄｐ２が、３段階（１：粗い位置情報（たとえば、都道府県レベル）を開示する、中程度の粗さの位置情報（例えば、市町村レベル）を開示する、３：細かい位置情報（たとえば、番地レベル）を開示する）有する形態を説明するが、２段階若しくは４段階以上有する形態であってもよい。
【００５１】
なお、第２詳細度パラメータｄｐ２は、第１詳細度パラメータｄｐ１と同じかそれ以上に細かい詳細度合いに設定されるのが望ましい。
例えば、第１詳細度パラメータｄｐ１は、使用者により当該３段階で調整可能で、第２詳細度パラメータｄｐ２は、最も細かい詳細度合いで固定される形態が考えられる。
【００５２】
本実施形態では、グループ名称：田中家（グループＩＤ：Ｇ００１）に、使用者ＩＤ：１１の使用者（使用者名称：パパ、第１詳細度パラメータｄｐ１：２、第２詳細度パラメータｄｐ２：３）、使用者ＩＤ：１２の使用者（使用者名称：花子、第１詳細度パラメータｄｐ１：１、第２詳細度パラメータｄｐ２：３）、使用者ＩＤ：１３の使用者（使用者名称：進、第１詳細度パラメータｄｐ１：２、第２詳細度パラメータｄｐ２：３）が属する。
また、グループ名称：実家（グループＩＤ：Ｇ００２）に、使用者ＩＤ：２３の使用者（使用者名称：おじいちゃん、第１詳細度パラメータｄｐ１：３、第２詳細度パラメータｄｐ２：３）、使用者ＩＤ：２４の使用者（使用者名称：おばあちゃん、第１詳細度パラメータｄｐ１：３、第２詳細度パラメータｄｐ２：３）、使用者ＩＤ：１１の使用者（使用者名称：太郎、第１詳細度パラメータｄｐ１：１、第２詳細度パラメータｄｐ２：３）が属する。
【００５３】
機関情報データベースＤ３は、外部サーバー９０ごとに、機関名（警察、消防などの名称）と管轄区域に関する情報との関係を示す（図３３参照）。
管轄区域に関する情報は、厳密に行政機関で定められた区域と一致するような細かな情報であってもよいが、当該区域の略中心位置を中心とし、当該区域の略全域を含むような円形領域を管轄区域としてもよい。
【００５４】
位置情報サーバー３０のサーバー制御部３５は、サーバー記録部３３にインストールされたプログラムを実行し、サーバー通信部３１やサーバー記録部３３を制御する。
【００５５】
具体的には、サーバー制御部３５は、位置情報サーバー３０が情報源発信部２０から災害情報を受信した時に、サーバー通信部３１を介して、位置情報データベースＤ１に登録された携帯端末（第５１携帯端末Ｍ５１〜第５５携帯端末Ｍ５５）に当該災害情報を送信する。
【００５６】
また、サーバー制御部３５は、緊急速報メールやＳＭＳなどを使って、災害情報のうち第１災害情報を含むメッセージを携帯端末に送信する形態であってもよい。
携帯端末は、位置情報プログラムが起動している場合には、当該第１災害情報を含むメッセージを表示せず、位置情報プログラムが起動していない場合は、当該第１災害情報を含むメッセージを表示する。
第１災害情報を含むメッセージとしては、例えば、図８の第１割り込み画面Ｐｉ１における第２災害情報表示領域５０１のＯＫボタン５０１ａや第１マークｍａ１を除く領域に記載されたコンテンツ「地震が発生しました  緊急地震速報を受信しました  ２０１６−０８−０３  ０８：３０：１７に四国地方で地震が発生しました  最大予測震度は６−  マグニチュードは７．１です  身の安全を確保してください」などが考えられる。
これにより、位置情報プログラムが起動していない場合でも、第１災害情報を携帯端末の使用者に伝えることが可能になる。
【００５７】
また、サーバー制御部３５は、位置情報サーバー３０が第５１携帯端末Ｍ５１〜第５５携帯端末Ｍ５５から、使用者設定操作やグループ設定操作や位置情報開示指定操作などによって、使用者に関する情報や所属するグループに関する情報や開示する位置情報の詳細度合いに関する情報を受信した時に、サーバー記録部３３に記録された位置情報データベースＤ１やグループ情報データベースＤ２を更新する。
【００５８】
また、サーバー制御部３５は、位置情報サーバー３０が第５１携帯端末Ｍ５１〜第５５携帯端末Ｍ５５の位置情報を受信した時に、サーバー記録部３３に記録された位置情報データベースＤ１における位置情報を更新する。
【００５９】
また、サーバー制御部３５は、携帯端末の使用者による安否回答操作に基づき、位置情報サーバー３０が第５１携帯端末Ｍ５１〜第５５携帯端末Ｍ５５から安否回答情報を受信した時に、サーバー記録部３３に記録された位置情報データベースＤ１における安否種類パラメータｓｐを更新する。
安否回答操作に基づいて、第５１携帯端末Ｍ５１〜第５５携帯端末Ｍ５５が安否回答情報を位置情報サーバー３０に送信する際に、測位して位置情報も送信される。
送信された位置情報に基づいて、位置情報データベースＤ１における位置情報が更新される。
なお、安否回答操作に基づいて安否回答情報が送信される際に、位置情報が送信されない形態であってもよい。
【００６０】
また、サーバー制御部３５は、携帯端末の使用者による救助依頼操作に基づき、位置情報サーバー３０が第５１携帯端末Ｍ５１〜第５５携帯端末Ｍ５５から救助依頼情報を受信した時に、サーバー記録部３３に記録された位置情報データベースＤ１におけるＳＯＳパラメータｒｐを更新する。
救助依頼操作に基づいて、第５１携帯端末Ｍ５１〜第５５携帯端末Ｍ５５が救助依頼情報を位置情報サーバー３０に送信する際に、測位して位置情報も送信される。
送信された位置情報に基づいて、位置情報データベースＤ１における位置情報が更新される。
また、サーバー制御部３５は、携帯端末の使用者による救助依頼キャンセル操作に基づき、位置情報サーバー３０が第５１携帯端末Ｍ５１〜第５５携帯端末Ｍ５５から救助依頼キャンセル情報を受信した時に、サーバー記録部３３に記録された位置情報データベースＤ１におけるＳＯＳパラメータｒｐを更新する。
救助依頼キャンセル操作に基づいて、第５１携帯端末Ｍ５１〜第５５携帯端末Ｍ５５が救助依頼キャンセル情報を位置情報サーバー３０に送信する際に、測位して位置情報も送信される。
送信された位置情報に基づいて、位置情報データベースＤ１における位置情報が更新される。
【００６１】
また、サーバー制御部３５は、サーバー通信部３１を介して、位置情報データベースＤ１とグループ情報データベースＤ２に基づいて、当該位置情報プログラムにログインした使用者（本人）の携帯端末に対して、位置情報と安否情報と救助依頼情報であって、当該位置情報プログラムにログインした使用者（本人）が属するグループに属する他の使用者（他人）のものを送信する。
例えば、使用者ＩＤ：１１の使用者（使用者名称：パパ、太郎）は、グループ名称：田中家（グループＩＤ：Ｇ００１）のグループと、グループ名称：実家（グループＩＤ：Ｇ００２）のグループに属するため、これらのグループに属する使用者（グループ名称：田中家（グループＩＤ：Ｇ００１）のグループに属する使用者ＩＤ：１２の使用者、使用者ＩＤ：１３の使用者、グループ名称：実家（グループＩＤ：Ｇ００２）に属する使用者ＩＤ：２３の使用者、使用者ＩＤ：２４の使用者）の位置情報や安否情報や救助依頼情報が、使用者ＩＤ：１１に対応する第５１携帯端末Ｍ５１に送信される。
【００６２】
位置情報サーバー３０から携帯端末へ送信される位置情報は、最も細かい詳細度合いの位置情報が用いられ、安否情報（安否種類パラメータｓｐ）と救助依頼情報（ＳＯＳパラメータｒｐ）に基づいて携帯端末上で表示する位置情報の詳細度合いが調整される。
具体的には、安否種類パラメータｓｐが０で且つＳＯＳパラメータｒｐが０の使用者については、平常時に開示する位置情報の詳細度合い（第１詳細度パラメータｄｐ１）で、位置情報が表示され、安否種類パラメータｓｐが１若しくはＳＯＳパラメータｒｐが１の使用者については、災害時に開示する位置情報の詳細度合い（第２詳細度合いパラメータｄｐ２）で、位置情報が表示される。
ただし、位置情報サーバー３０から各携帯端末に位置情報を送信する段階で、位置情報データベースＤ１に記録された安否情報（安否種類パラメータｓｐ）と救助依頼情報（ＳＯＳパラメータｒｐ）に基づいて、送信する携帯端末ごと、更に位置情報を開示する使用者ごとに詳細度合いを変えた状態で位置情報を各携帯端末に送信する形態であってもよい。
【００６３】
外部サーバー９０は、当該携帯端末の位置情報を含む地域に属する行政機関などのサーバーである。具体的には、外部サーバー９０は、地域ごとに、区役所などの役所、警察署、消防署のものとして設けられる。
位置情報サーバー３０は、機関情報データベースＤ３に基づいて、ＳＯＳモードの携帯端末の位置情報に対応する位置を含むか、近接する管轄区域を持つ行政機関の外部サーバー９０を特定し、ＳＯＳモードの携帯端末について、当該外部サーバー９０に当該携帯端末の位置情報と救助依頼に関する情報を送信する。
例えば、ＳＯＳモードの携帯端末の位置情報に対応する位置が福岡県福岡市博多区である場合には、当該博多区を管轄区域に含む博多区役所、博多警察署、博多消防署、及び博多区の周辺の区を管轄区域とする区役所、警察署、消防署のものとして設けられた外部サーバー９０が、携帯端末の位置情報に対応する位置に関連する地域を管轄区域とする機関の外部サーバー９０であるとして、これらの外部サーバー９０に、位置情報サーバー３０からの救助依頼に関する情報などが送信される。
【００６４】
次に、位置情報プログラムの詳細について説明する。
位置情報プログラムは、第１画面Ｐ１（災害情報、使用者ごとの位置情報の表示）、第２画面Ｐ２（グループチャット表示）、第３画面Ｐ３（災害情報一覧表示）、第４画面Ｐ４（過去災害情報の詳細表示）、第１割り込み画面Ｐｉ１（災害情報の割り込み表示）、第２割り込み画面Ｐｉ２（安否回答の割り込み表示）、第３割り込み画面Ｐｉ３（ＳＯＳモード切り替え確認表示）、第４割り込み画面Ｐｉ４（ＳＯＳモード維持確認表示）を携帯端末の表示部１９に表示させる機能、及び発信部１７などを介してＳＯＳ信号を発信させる機能を有する。
【００６５】
平常時、携帯端末上には、使用者の操作により、第１画面Ｐ１〜第４画面Ｐ４のいずれかが表示される。
災害時には、第１画面Ｐ１〜第４画面Ｐ４が表示された上に、第１割り込み画面Ｐｉ１が割り込み表示され、所定の操作（ＯＫボタン５０１ａのクリック）後に、第２割り込み画面Ｐｉ２が表示される。
ＳＯＳモード時には、第１画面Ｐ１〜第４画面Ｐ４が表示された上に、第３割り込み画面Ｐｉ３が割り込み表示され。第７時間Ｔ７（例えば、Ｔ７＝１時間）ごとに、第４割り込み画面Ｐｉ４が割り込み表示される。
【００６６】
なお、第１割り込み画面Ｐｉ１の割り込み表示を省略して、災害時には最初から第２割り込み画面Ｐｉ２が表示される形態であってもよい。
また、第２割り込み画面Ｐｉ２は、第１画面Ｐ１の一部の領域（第１グループ名称表示領域１０３ｂ）の上に重畳する位置に表示される形態であってもよいが、第１画面Ｐ１における何れかの領域（例えば、第１災害情報表示領域１０１の下部と、第１使用者位置情報表示領域１０３の上部の間）に設けられる形態であってもよい。
【００６７】
第１画面Ｐ１は、第１災害情報表示領域１０１、第１使用者位置情報表示領域１０３、画面切替ボタン表示領域１０５を有する（図４、図５、図８〜図１１、図１５、図１７、図２１、図２３、図２７、図３２参照）。
【００６８】
第１災害情報表示領域１０１には、直前に発生した地震に関する情報（地域、日時、最大震度、マグニチュード）が表示され、背景に当該地震に関する情報に含まれる地域を中心とした地図が表示される。
第１災害情報表示領域１０１には、第１災害情報と第２災害情報については災害の規模（最大予測震度の数値）を示し、災害取り消し情報の場合は災害取り消し情報であることを示す第１マークｍａ１が設けられる。
本実施形態では、第１マークｍａ１は、第１災害情報については白抜き文字で表示され、第２災害情報については黒文字で表示され、災害取り消し情報についてはハッチングを施した背景色に黒文字で×印を付けたもので表示される。
また、第１災害情報に関連する第１マークｍａ１は暖色系（進出色系）の背景色を有し、第２災害情報に関連する第１マークｍａ１は寒色系（後退色系）の背景色を有する形態も考えられる。
【００６９】
本実施形態では、第１マークｍａ１が、略矩形形状の枠で囲まれる形態を示すが、当該枠を省略し、第１災害情報表示領域１０１上に災害の規模の数値や災害取り消し情報であることを示す記号や文字だけを表示させる形態であってもよい。
【００７０】
また、本実施形態では、第１災害情報表示領域１０１に表示する情報が、第１災害情報と第２災害情報と災害取り消し情報のいずれかであるとして説明するが、災害取り消し情報については、第１災害情報表示領域１０１に表示しない形態であってもよい。
【００７１】
過去の一定時間内に地震が発生していない場合は、第１災害情報表示領域１０１には、「地震が発生していない旨」の表示と、当該携帯端末の細かい位置情報を含めた表示が行われる。
なお、第１災害情報表示領域１０１に、「地震が発生していない旨」の表示だけが行われ、当該携帯端末の細かい位置情報を含めた表示が行われない形態であってもよい。
図４と図５は、過去の一定時間内に地震が発生していない状態を示し、図８〜図１１、図１５、図１７、図２１、図２３、図２７、図３２は、過去の一定時間内に地震が発生している状態を示す。
【００７２】
また、位置情報サーバー３０が第１災害情報を送信してから、位置情報サーバー３０がグループ内の使用者全員から安否回答を受信するまで、若しくは位置情報サーバー３０が情報源発信部２０から災害取り消し情報を受信するまでの第３時間Ｔ３の間は、第１災害情報表示領域１０１若しくは、その近傍の表示領域が、第３時間Ｔ３以外の間と異なった状態で表示される。
例えば、第３時間Ｔ３の間、第１災害情報表示領域１０１とその近傍の表示領域は、赤を基調とした色で表示され、第３時間Ｔ３以外の間、第１災害情報表示領域１０１とその近傍の表示領域は、緑など赤と異なる色を基調とした色で表示される。
【００７３】
本実施形態では、第３時間Ｔ３の間、周囲が太線の枠で強調された状態で第１災害情報表示領域１０１が表示（図８〜図１１、図１５、図２３、図２７参照）され、第３時間Ｔ３以外の間、当該太線の枠が無い状態で第１災害情報表示領域１０１が表示（図４、図５、図１７、図２１、図３２参照）される例を示す。
【００７４】
第３時間Ｔ３は、当該携帯端末の使用者ごとに、位置情報データベースＤ１における安否情報（安否種類パラメータｓｐ）に基づいて決定され、当該携帯端末の使用者が属するグループに属する使用者の少なくとも１人の安否種類パラメータｓｐが１となっている間が当該携帯電話の使用者に対応する第３時間Ｔ３となる。
本実施形態では、当該携帯端末の使用者（使用者ＩＤ：１１、使用者名称：パパ、太郎）が属する第１のグループ（グループ名称：田中家、グループＩＤ：Ｇ００１）に属する使用者（使用者ＩＤ：１１、１２、１３）と第２のグループ（グループ名称：実家、グループＩＤ：Ｇ００２）に属する使用者（使用者ＩＤ：１１、２３、２４）の少なくとも１人の安否種類パラメータｓｐが１となっている間が、使用者ＩＤ：１１に対応する第３時間Ｔ３となる。
【００７５】
災害情報が災害取り消し情報である場合には、第１災害情報表示領域１０１に「災害取り消し情報であること」を示す文字表示領域１０１ａが設けられる（図２１参照）。
また、災害取り消し情報の直前の災害情報が第１災害情報であった場合には、位置情報データベースＤ１における安否種類パラメータｓｐは、総ての使用者について０に戻される。
【００７６】
第１使用者位置情報表示領域１０３には、当該携帯端末の使用者が属するグループごとに、グループマーク、グループ名称、所属する使用者に関する使用者マーク、使用者名称、位置情報、位置情報の取得時間（現在時間から遡った時間）、位置通知ボタン（当該グループのグループチャット画面に当該携帯端末の使用者の発言として当該携帯端末の位置情報を表示させるボタン）１０３ａが設けられる。
図４などは、使用者ＩＤ：１１の使用者が属する２つのグループ（第１のグループ名称：田中家、グループＩＤ：Ｇ００１、第２のグループ名称：実家、グループＩＤ：Ｇ００２）ごとに、当該グループに所属する使用者の位置情報などが表示される例を示す。
【００７７】
グループマークやグループ名称が表示された領域（第１グループ名称表示領域１０３ｂ）がクリックされると、当該グループのグループチャット画面（第２画面Ｐ２）の表示に切り替えられる（図６参照）。
なお、当該領域をクリックすることによって第２画面Ｐ２の表示への切り替えが行われる形態に代えて、画面切替ボタン表示領域１０５に第２画面Ｐ２の表示に切り替えるためのアイコンが設けられ、当該アイコンをクリックすることにより、第２画面Ｐ２の表示への切り替えが行われる形態であってもよい。
【００７８】
第２画面Ｐ２は、戻るボタン２０１、グループチャット表示領域２０３を有する（図６、図７、図１２、図１３、図２４〜図２６、図２８参照）。
戻るボタン２０１がクリックされると、第１画面Ｐ１の表示に切り替えられる。
グループチャット表示領域２０３は、グループマークやグループ名称が表示された領域（第２グループ名称表示領域２０３ａ）と、グループチャットの内容を表示する領域（チャット表示領域２０３ｂ）とが設けられる。
【００７９】
チャット表示領域２０３ｂに、位置通知ボタン１０３ａのクリックに対応して表示された位置情報を含むメッセージには、第２マークｍａ２が設けられる。
チャット表示領域２０３ｂには、第１メッセージ入力領域２０３ｂ１（文字メッセージを入力する領域）、送信を指示する第１送信ボタン２０３ｂ２、写真などの画像データを送信する第１画像データ送信操作ボタン２０３ｂ３、及び録音した音声などの音声データを送信する第１音声データ送信操作ボタン２０３ｂ４が設けられる。
【００８０】
第１メッセージ入力領域２０３ｂ１に文字入力などがされる場合には、入力キー領域（不図示、図１１の入力キー領域６０６参考）がさらに表示される。
入力キー領域を操作して、第１メッセージ入力領域２０３ｂ１に文字メッセージが入力され、その後に第１送信ボタン２０３ｂ２がクリックされると、携帯端末は、当該メッセージ（文字）に対応する文字データを位置情報サーバー３０に送信し、当該文字メッセージがグループチャットに加えられる（図６参照）。
【００８１】
第１画像データ送信操作ボタン２０３ｂ３がクリックされると、携帯端末のカメラで撮影されたスルー画像や、既に携帯端末に記録された画像を、メッセージとして送信する対象として選択可能な状態で表示する画像データ表示領域（不図示、図２３の画像データ表示領域６０９参考）がさらに表示される。
当該画像データ表示領域におけるスルー画像から静止画像の撮影や送信対象画像の選択の後に第１送信ボタン２０３ｂ２がクリックされると、携帯端末は、当該メッセージ（画像）に対応する画像データを位置情報サーバー３０に送信し、当該送信対象画像がグループチャットに加えられる（図２４参照）。
図２４は、図６の状態から、第１画像データ送信操作ボタン２０３ｂ３がクリックされ、選択された送信対象画像が、グループチャットに加えられた状態を示す。
【００８２】
第１音声データ送信操作ボタン２０３ｂ４がクリックされると、当該クリックがされている間、若しくは当該クリックがされてから第４時間Ｔ４（例えば、Ｔ４＝１０秒）の間、携帯端末のマイクで音声が録音される。
録音終了後に第１送信ボタン２０３ｂ２がクリックされると、携帯端末は、当該メッセージ（音声）に対応する音声データを位置情報サーバー３０に送信し、当該録音された音声が再生可能な状態で、グループチャットに加えられる（図２５参照）。
図２５は、図６の状態から、第１音声データ送信操作ボタン２０３ｂ４がクリックされ、録音された音声が再生可能な状態で、グループチャットに加えられた状態を示す。
【００８３】
なお、第１画像データ送信操作ボタン２０３ｂ３、第１音声データ送信操作ボタン２０３ｂ４に相当するボタンは、入力キー領域に設けられるものであってもよい。
【００８４】
図６は、第１使用者位置情報表示領域１０３における、グループ名称：田中家に対応する第１グループ名称表示領域１０３ｂがクリックされて、当該グループのグループチャット画面（第２画面Ｐ２）の表示に切り替えられた状態を示す。
【００８５】
第１画面Ｐ１における位置通知ボタン１０３ａがクリックされると、当該グループのグループチャット画面（第２画面Ｐ２）の表示に切り替えられ、且つ当該携帯端末の使用者の発言として、当該携帯端末の位置情報を含むメッセージが、当該位置情報に対応する地図表示への切り替えが可能なリンクが施された状態で、グループチャットに加えられる（図７参照）。
図７は、第１使用者位置情報表示領域１０３における、グループ名称：田中家の位置通知ボタン１０３ａがクリックされて、当該グループのグループチャット画面（第２画面Ｐ２）の表示に切り替えられた状態を示す。
【００８６】
位置通知ボタン１０３ａをクリックする簡単な操作で、使用者が属するグループのうち指定したグループのグループチャットに使用者の位置情報を含むメッセージを加えることが出来、当該グループに属する使用者全員に位置情報を伝えることが可能になる。
【００８７】
位置通知ボタン１０３ａをクリックすることにより、グループチャットに加えられる位置情報は、後述する第２詳細度パラメータｄｐ２に基づいて、災害時に開示する位置情報の詳細度合いのものであるのが望ましい。
【００８８】
安否種類パラメータｓｐが０の状態（安否回答操作が行われた状態）で、第１使用者位置情報表示領域１０３に表示される位置情報は、第１詳細度パラメータｄｐ１に基づいて、平常時に開示する位置情報の詳細度合いのものであるが、位置通知ボタン１０３ａの操作によって、グループチャットを介して、第２詳細度パラメータｄｐ２に基づいて、災害時に開示する位置情報の詳細度合いの位置情報（詳しい位置情報）を当該グループに属する使用者に伝えることが可能になる。
【００８９】
本実施形態では、位置通知ボタン１０３ａが第１画面Ｐ１に設けられる形態を説明したが、位置通知ボタン１０３ａに相当するアイコン若しくはボタンが、第２画面Ｐ２における第１メッセージ入力領域２０３ｂ１内に設けられる形態であってもよい。
【００９０】
第１使用者位置情報表示領域１０３に表示される情報量が多い場合には、縦方向にスクロールが可能な状態で表示される。図４などは、第１使用者位置情報表示領域１０３における上方領域が表示された状態を示し、図５は、第１使用者位置情報表示領域１０３における下方領域が表示された状態を示す。
【００９１】
第１使用者位置情報表示領域１０３に表示される位置情報の詳細度合いは、位置情報データベースＤ１における安否情報（安否種類パラメータｓｐ）と救助依頼情報（ＳＯＳパラメータｒｐ）、グループ情報データベースＤ２における開示する位置情報の詳細度合い（第１詳細度パラメータｄｐ１、第２詳細度パラメータｄｐ２）に基づいて、決定される。
安否種類パラメータｓｐが０で且つＳＯＳパラメータｒｐが０の使用者、すなわち、安否回答を受けていて、且つ救助依頼が行われていない（救助依頼操作がされていない、若しくは救助依頼操作の後に救助依頼キャンセル操作がされた）使用者について、当該使用者の位置情報は、第１詳細度パラメータｄｐ１に基づいて、平常時に開示する位置情報の詳細度合いで表示される。
図４、図１５、図１７、図２１、図３２は、グループ名称：田中家に属する使用者名称：花子の安否種類パラメータｓｐが０でＳＯＳパラメータｒｐが０であり、位置情報が、平常時に開示する位置情報の詳細度合い（第１詳細度パラメータｄｐ１：１（粗い位置情報レベル）で表示される例を示す。
【００９２】
また、使用者ＩＤが同じでも、グループごとに開示する位置情報の詳細度合いを異なるものにすることが出来る。
本実施形態では、使用者ＩＤ：１１の使用者は、グループ名称：田中家の中では、使用者名称：パパで、第１詳細度パラメータｄｐ１に基づいて、平常時に中程度の位置情報（東京都港区）を表示し、グループ名称：実家の中では、使用者名称：太郎で、第１詳細度パラメータｄｐ１に基づいて、平常時に粗い位置情報（東京都）を表示する例を示す（図４，図５参照）。
【００９３】
安否種類パラメータｓｐ１が１、若しくはＳＯＳパラメータｒｐが１の使用者、すなわち、安否回答操作をしていない、若しくは救助依頼が行われている（救助依頼操作がされていて、且つ救助依頼キャンセル操作がされていない）使用者について、当該使用者の位置情報は、第２詳細度パラメータｄｐ２に基づいて、災害時に開示する位置情報の詳細度合いで表示される。
図９〜図１１、図２３、図２７は、グループ名称：田中家に属する使用者名称：花子の安否種類パラメータｓｐが１でＳＯＳパラメータｒｐが０であり、位置情報が、災害時に開示する位置情報の詳細度合い（第２詳細度パラメータｄｐ２：３（細かい位置情報レベル）で表示される例を示す。
図３２は、グループ名称：田中家に属する使用者名称：進の安否種類パラメータｓｐが０でＳＯＳパラメータｒｐが１であり、位置情報が、災害時若しくはＳＯＳモード時に開示する位置情報の詳細度合い（第２詳細度パラメータｄｐ２：３（細かい位置情報レベル）で表示される例を示す。
【００９４】
また、使用者マーク、使用者名称、位置情報のいずれかの近傍には、安否種類パラメータｓｐが１である（安否回答をしていない）か、安否種類パラメータｓｐが０である（安否回答をした）かのいずれか一方の場合に点灯し、他方の場合に消灯する第３マークｍａ３が設けられる。
本実施形態では、使用者マークの右上に、当該第３マークｍａ３として、安否種類パラメータが１である（安否回答をしていない）場合に点灯し、安否種類パラメータが０である（安否回答をした）場合に消灯するマーク（ひし形の内側に感嘆符を設けたマーク）が設けられる（図９〜図１１、図１５、図２３、図２７参照）。
ただし、第３マークｍａ３の形状は、これに限るものではなく、使用者マークの周囲を囲む円形枠など、他の形状であってもよい。
【００９５】
なお、第１使用者位置情報表示領域１０３で表示される使用者ごとの位置情報を含む領域をクリックするなどの所定の操作（第５操作）に基づいて、携帯端末の使用者以外の他の使用者に対応する第３マークｍａ３を消灯させたり点灯させたりしてもよい。
【００９６】
また、使用者マーク、使用者名称、位置情報のいずれかの近傍には、ＳＯＳパラメータｒｐが１である（救助依頼をしており、救助依頼キャンセルがされていない）か、ＳＯＳパラメータｒｐが０である（救助依頼がされていない、若しくは、救助依頼したがその後に救助依頼キャンセルされた）かのいずれか一方の場合に点灯し、他方の場合に消灯する第４マークｍａ４が設けられる。
本実施形態では、位置情報の上方に、当該第４マークｍａ４として、ＳＯＳパラメータｒｐが１である場合に点灯し、ＳＯＳパラメータｒｐが０である場合に消灯するマーク（文字“ＳＯＳ！”と、当該文字の周りの矩形枠）が設けられる（図３２参照）。
【００９７】
第１使用者位置情報表示領域１０３で表示される使用者ごとの位置情報の近傍（位置情報と位置情報取得時間の間）には、第２マークｍａ２が設けられ、当該第２マークｍａ２がクリックされると、第２マークｍａ２に対応する使用者の位置情報の地図表示（不図示）に切り替えられる。
なお、位置情報が表示された領域がクリックされると、当該位置情報の地図表示（不図示）に切り替えられる形態であってもよい。この場合には、第２マークｍａ２は省略されてもよい。
【００９８】
画面切替ボタン表示領域１０５には、第１画面Ｐ１の表示に切り替えるためのホームボタン１０５ａ、第３画面Ｐ３の表示に切り替えるための災害情報ボタン１０５ｂ、当該携帯端末の位置に近い避難所の一覧表示（不図示）に切り替えるための避難所ボタン１０５ｃ、グループ情報データベースＤ２の内容の編集などを操作画面表示（不図示）に切り替えるためのマイページボタン１０５ｄ、救助依頼ボタン１０５ｅを有する。
救助依頼ボタン１０５ｅを操作した場合の動作については、後述する。
【００９９】
第１画面Ｐ１（若しくは、第２画面Ｐ２〜第４画面Ｐ４のいずれか）が表示された状態で、携帯端末が、災害情報のうち第１災害情報を受信した場合には、当該表示画面上に、災害情報の割り込み表示が行われる（第１割り込み画面Ｐｉ１、図８参照）。
第１災害情報と、他の情報（第２災害情報、若しくは災害取り消し情報）との判別は、位置情報サーバー３０側で行って、判別情報を含めて携帯端末に送信する形態であってもよいし、災害情報を受信した携帯端末側で当該災害情報が第１災害情報か否かを判別する形態であってもよい。
【０１００】
第１割り込み画面Ｐｉ１は、第２災害情報表示領域５０１を有する。
第２災害情報表示領域５０１には、直前に発生した地震に関する情報（地域、日時、最大震度、マグニチュード）が表示される。
第２災害情報表示領域５０１は、第１画面Ｐ１に設けられた第１災害情報表示領域１０１よりも大きい。
第２災害情報表示領域５０１には、ＯＫボタン５０１ａが設けられ、当該ＯＫボタン５０１ａがクリックされると、第１割り込み画面Ｐｉ１の割り込み表示が終了する。
第２災害情報表示領域５０１には、最大予測震度の数値を示す第１マークｍａ１が設けられ、第２災害情報表示領域５０１における第１マークｍａ１は、第１割り込み画面Ｐｉ１が表示されている間、当該画面に垂直で第１マークｍａ１の略中心を通る軸を中心に回転する。
【０１０１】
第１割り込み画面Ｐｉ１の割り込み表示終了後の第１画面Ｐ１の表示は、第１災害情報表示領域１０１の下部（図９、図１１、図２３、図２７では、第１グループ名称表示領域１０３ｂの上に重畳する位置）で安否回答を促す第２割り込み画面Ｐｉ２の割り込み表示が行われる。
第１画面Ｐ１における第１災害情報表示領域１０１は、太線の枠を設けるなど、第３時間Ｔ３以外の間と異なった状態で表示される。
第１画面Ｐ１における使用者マークには、対応する使用者の安否種類パラメータｓｐが１から０に変わるまで、第３マークｍａ３が表示される。
第１画面Ｐ１における使用者の位置情報は、対応する使用者の安否種類パラメータｓｐが１から０に変わるまで、災害時に開示する位置情報の詳細度合い（第２詳細度パラメータｄｐ２）で表示される。
【０１０２】
第２割り込み画面Ｐｉ２は、「無事を報告する」ボタン６０１と「メッセージを送信する」ボタン６０３を表示する（図９参照）。
【０１０３】
「無事を報告する」ボタン６０１をクリックする第１操作が行われると、携帯端末は、第１操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する（図１４参照）。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される（図１０参照）。
【０１０４】
「メッセージを送信する」ボタン６０３がクリックされると、第２割り込み画面Ｐｉ２は、「無事を報告する」ボタン６０１と「メッセージを送信する」ボタン６０３を表示する状態から、「無事を報告する」ボタン６０１よりも小さい「無事」ボタン６０２、第２メッセージ入力領域（文字メッセージを入力する領域）６０４、第２送信ボタン６０５、入力キー領域６０６、写真などの画像データを送信する第２画像データ送信操作ボタン６０７、及び録音した音声などの音声データを送信する第２音声データ送信操作ボタン６０８を表示する状態に変わる（図１１参照）。
【０１０５】
入力キー領域６０６を操作して、第２メッセージ入力領域６０４に文字メッセージが入力され、その後に第２送信ボタン６０５がクリックされると、携帯端末は、当該メッセージを含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【０１０６】
第２画像データ送信操作ボタン６０７がクリックされると、入力キー領域６０６の代わりに、携帯端末のカメラで撮影されたスルー画像や、既に携帯端末に記録された画像を、メッセージとして送信する対象として選択可能な状態で表示する画像データ表示領域６０９（図２３参照）が表示される。
当該画像データ表示領域６０９におけるスルー画像から静止画像の撮影や送信対象画像の選択の後に第２送信ボタン６０５がクリックされると、携帯端末は、当該メッセージ（画像）を含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【０１０７】
第２音声データ送信操作ボタン６０８がクリックされると、当該クリックがされている間、若しくは当該クリックがされてから第４時間Ｔ４（例えば、Ｔ４＝１０秒）の間、携帯端末のマイクで音声が録音される。
録音終了後に第２送信ボタン６０５がクリックされると、携帯端末は、当該メッセージ（音声）を含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【０１０８】
さらに、位置情報サーバー３０は、当該携帯端末の使用者が属するグループに属する使用者の全員の携帯端末に対して、当該メッセージ（入力キー領域６０６の操作により入力された文字、第２画像データ送信操作ボタン６０７の操作により選択された画像、第２音声データ送信操作ボタン６０８の操作により録音された音声）を送信する。これにより、当該携帯端末の使用者の発言として、当該携帯端末の使用者が属するグループのグループチャットには当該メッセージが加えられる（図１２、図１３、図２６参照）。
当該携帯端末の使用者が複数のグループに属する場合には、当該複数のグループのグループチャットに当該メッセージが加えられる。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される（図１０参照）。
【０１０９】
なお、第２割り込み画面Ｐｉ２は、「無事を報告する」ボタン６０１と「無事でないことを報告する」ボタン６１０を表示する形態であってもよい（図２７参照）。
この場合には、第２割り込み画面Ｐｉ２には、「メッセージを送信する」ボタン６０３が設けられてもよいし、設けられなくてもよい。
図２７は、第２割り込み画面Ｐｉ２に、「メッセージを送信する」ボタン６０３が設けられない例を示す。
【０１１０】
「無事でないことを報告する」ボタン６１０がクリックされると、携帯端末は、「たすけてください。」など無事でないことを報告する旨、すなわち救助を依頼する旨のメッセージを含む第２操作が行われたことに関する情報と当該携帯端末の位置情報を位置情報サーバー３０に送信する。
位置情報サーバー３０は、これらの情報を送信した携帯端末の位置情報を更新し、安否種類パラメータｓｐを１から０に変更する。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される。
【０１１１】
さらに、位置情報サーバー３０は、当該携帯端末の使用者が属するグループに属する使用者の全員の携帯端末に対して、無事でないことを報告する旨、すなわち救助を依頼する旨のメッセージを送信する。これにより、当該携帯端末の使用者の発言として、当該携帯端末の使用者が属するグループのグループチャットには当該メッセージが加えられる（図２８参照）。
【０１１２】
なお、「無事でないことを報告する」ボタン６１０がクリックされた際には、後述する救助依頼ボタン１０５ｅがクリックされた場合と同じ動作（ＳＯＳモードへの切り替え、第４マークｍａ４の表示、第２詳細度パラメータｄｐ２での位置情報表示など）が行われる形態であってもよい。
この場合には、画面切替ボタン表示領域１０５に、救助依頼ボタン１０５ｅが設けられる形態であってもよいし、救助依頼ボタン１０５ｅが設けられない形態であってもよい。
【０１１３】
メッセージ送信操作（第２操作）を１回行うことで、使用者が属する総てのグループのグループチャットにメッセージ（例えば、図１２、図１３に示すように、自分が大丈夫であることを示すメッセージや、図２６に示すように、携帯端末で取得した画像を含むメッセージや、図２８に示すように、自分が大丈夫でないことを示すメッセージ）を加えることが出来、グループに属する使用者全員に当該メッセージを伝えることが可能になる。
【０１１４】
当該携帯電話の使用者が属するグループに属する他の使用者の携帯端末において第１操作若しくは第２操作が行われると、当該他の使用者に対応する安否種類パラメータｓｐが１から０に変わり、第１画面Ｐ１における当該他の使用者の使用者マークに表示された第３マークｍａ３が消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる。
【０１１５】
例えば、使用者ＩＤ：１２、使用者名称：花子の第５２携帯端末Ｍ５２において、第１操作若しくは第２操作が行われると、位置情報データベースＤ１における安否種類パラメータｓｐが１から０に変更され、第１画面Ｐ１における使用者名称：花子に対応する使用者マークに表示された第３マークｍａ３が消灯し、平常時に開示する位置情報の詳細度合い（第１詳細度パラメータｄｐ１）で位置情報が表示される（図１５、図１６参照）。
【０１１６】
当該携帯端末の使用者が属するグループに属する他の使用者の携帯端末の総てにおいて第１操作若しくは第２操作が行われると、当該携帯端末の使用者に対応する第３時間Ｔ３が終了し、当該他の使用者に対応する安否種類パラメータｓｐが１から０に変わり、第１画面Ｐ１における当該他の使用者の使用者マークに表示された第１マークが消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる（図１７、図１８参照）。
また、第１災害情報表示領域１０１は、太線の枠が無い状態での表示に切り替えられる。
【０１１７】
また、後述する第４画面Ｐ４で使用する災害発生時の使用者ごとの位置情報表示のために、第３時間Ｔ３が始まった時点、第３時間Ｔ３が終了した時点、若しくはその間やその前後の所定の時点で位置情報データベースＤ１に記録された使用者ごとの位置情報を位置情報サーバー３０若しくは携帯端末が記録しておくのが望ましい。
【０１１８】
第１画面Ｐ１など画面切替ボタン表示領域１０５を含む画面が表示された状態で、災害情報ボタン１０５ｂがクリックされると、過去に発生した災害情報を時系列に並べた第３画面Ｐ３の表示に切り替えられる（図１９、図２２参照）。
第３画面Ｐ３は、過去に発生した災害情報を時系列に並べた災害時系列表示領域３０１と画面切替ボタン表示領域１０５を有する。
災害時系列表示領域３０１は、地震に関する情報（地域、日時、最大震度、マグニチュード）が時系列に表示される。
災害時系列表示領域３０１のそれぞれの災害情報を示す領域には、第１災害情報と第２災害情報については災害の規模（最大予測震度の数値）を示し、災害取り消し情報の場合は災害取り消し情報であることを示す第１マークｍａ１が設けられる。
本実施形態では、第１マークｍａ１は、第１災害情報については白抜き文字で表示され、第２災害情報については黒文字で表示され、災害取り消し情報についてはハッチングを施した背景色に黒文字で×印を付けたもので表示される。
また、第１災害情報に関連する第１マークｍａ１は暖色系（進出色系）の背景色を有し、第２災害情報に関連する第１マークｍａ１は寒色系（後退色系）の背景色を有する形態も考えられる。
本実施形態では、第１マークｍａ１が、略矩形形状の枠で囲まれる形態を示すが、当該枠を省略し、災害の規模の数値や災害取り消し情報であることを示す記号や文字だけを表示させる形態であってもよい。
災害時系列表示領域３０１の災害情報を示す領域であって、第１災害情報を示す領域がクリック（第３操作）されると、第４画面Ｐ４の表示に切り替えられる（図２０参照）。
ただし、第３操作、及び第３操作に基づく第４画面Ｐ４への表示切り替えを省略する形態であってもよい。
【０１１９】
第３画面Ｐ３により、過去に生じた災害を時系列で視認出来るようになる。
【０１２０】
第４画面Ｐ４は、第３災害情報表示領域４０１、第３画面Ｐ３の表示に戻るための切替ボタン４０２、第２使用者位置情報表示領域４０３、画面切替ボタン表示領域１０５を有する。
第３災害情報表示領域４０１では、第３操作でクリックした第１災害情報を示す領域に対応する地震に関する情報（地域、日時、最大震度、マグニチュード）が表示される。
第３災害情報表示領域４０１には、第３操作でクリックした第１災害情報を示す領域に対応する災害の規模（地震の最大予測震度の数値）を示す第１マークｍａ１が設けられる。
切替ボタン４０２がクリックされると、第３画面Ｐ３の表示に切り替えられる（図１９参照）。
【０１２１】
第２使用者位置情報表示領域４０３には、当該携帯端末の使用者が属するグループごとに、グループマーク、グループ名称、所属する使用者に関する使用者マーク、使用者名称、位置情報、位置情報の取得日時が設けられる。
ここでいう位置情報は、第３操作でクリックした第１災害情報に対応した所定の時点で位置情報データベースＤ１に記録されたもの（第３時間Ｔ３が始まった時点など、第１災害情報が位置情報サーバー３０から送信された時点若しくは当該時点から第５時間Ｔ５以内に位置情報サーバー３０の位置情報データベースＤ１に記録されたもの）が用いられる。
本実施形態では、第１災害情報が位置情報サーバー３０から携帯端末に送信された時点に位置情報サーバー３０の位置情報データベースＤ１に記録されたものが、第２使用者位置情報表示領域４０３で表示する使用者の位置情報として用いられる。
【０１２２】
第２使用者位置情報表示領域４０３に表示される位置情報の詳細度合いは、グループ情報データベースＤ２における開示する位置情報の詳細度合い（第１詳細度パラメータｄｐ１若しくは第２詳細度パラメータｄｐ２）に基づいて、決定される。
本実施形態では、使用者の位置情報は、第１詳細度パラメータｄｐ１に基づいて、平常時に開示する位置情報の詳細度合いで表示される。
【０１２３】
第２使用者位置情報表示領域４０３で表示される使用者ごとの位置情報の近傍（位置情報と位置情報取得時間の間）には、第２マークｍａ２が設けられ、当該第２マークｍａ２がクリックされると、第２マークｍａ２に対応する使用者の位置情報の地図表示（不図示）に切り替えられる。
【０１２４】
第４画面Ｐ４により、使用者の位置情報であって、過去に生じた災害における発生した前後の時間帯のものを知ることが出来る。
【０１２５】
本実施形態では、第１画面Ｐ１、第２画面Ｐ２、第３画面Ｐ３、第４画面Ｐ４が切り替えて表示される形態を説明したが、２以上の画面が１つの表示画面上に並べて表示される形態であってもよい。
【０１２６】
次に、救助依頼ボタン１０５ｅをクリックした場合の動作について説明する。
【０１２７】
第１画面Ｐ１など画面切替ボタン表示領域１０５を含む画面が表示された状態で、救助依頼ボタン１０５ｅがクリックされると、クリックされた携帯端末に対応するＳＯＳパラメータｒｐが１に設定され、第３割り込み画面Ｐｉ３が表示される。
第３割り込み画面Ｐｉ３は、当該携帯端末の使用モードが通常モード（非ＳＯＳモード）からＳＯＳモードに切り替わる旨のメッセージを含む第１通知領域７０１、ＳＯＳ信号を発信する手段を選択するための第１選択種類表示領域７０２を有する（図２９参照）。
【０１２８】
第１通知領域７０１には、第１発信確認ボタン７０１ａと第１キャンセルボタン７０１ｂが設けられる。
第３割り込み画面Ｐｉ３が表示されてから第６時間Ｔ６（例えば、Ｔ６＝５分）が経過するまでの間に、第１発信確認ボタン７０１ａがクリックされた場合、若しくは第３割り込み画面Ｐｉ３が表示されてから第６時間Ｔ６が経過するまでの間、第１発信確認ボタン７０１ａと第１キャンセルボタン７０１ｂのいずれもクリックされなかった場合に、通常モードからＳＯＳモードに切り替わり、携帯端末は、位置情報サーバー３０に対して、当該携帯端末の位置情報と、当該携帯端末の使用者からの救助依頼に関する情報を送信する。位置情報サーバー３０に送信される携帯端末の位置情報及び救助依頼に関する情報には、当該携帯端末の使用者の名称に関する情報も含まれる。
また、第３割り込み画面Ｐｉ３の割り込み表示が終了する。
【０１２９】
第１選択種類表示領域７０２には、携帯端末における、ＳＯＳ信号を発信する手段の選択肢が表示される。
図２９は、第１選択種類表示領域７０２に、「犬笛：犬笛に相当する超音波（１６０００Ｈｚ〜２２０００Ｈｚ）の信号を発信する」、「ビーコン：微弱電波（例えば、４５７ｋＨｚ）の信号を発信する」、「音声：所定の音声（例えば、“たすけて”）を出力する」、「光：携帯端末のストロボ発光部１８や表示部１９で所定色の光（例えば、短信号３回と長信号３回と短信号３回で構成される点滅光）を出力する」、「警察へ電話して通話する：警察へ電話し通話状態となった後は、使用者が自ら話をする」、「警察へ電話（自動音声）：警察へ電話し通話状態となった後は、携帯端末が自動音声で位置情報と救助依頼に関する情報を出力する」、「消防・救急へ電話して通話する：消防・救急へ電話し通話状態となった後は、使用者が自ら話をする」、「消防・救急へ電話（自動音声）：消防・救急へ電話し通話状態となった後は、携帯端末が自動音声で位置情報と救助依頼に関する情報を出力する」が選択肢として挙げられ、そのうち、「犬笛」と「消防・救急へ電話（自動音声）」が選択された例を示す。
【０１３０】
第３割り込み画面Ｐｉ３を表示する際には、各選択肢が選択されておらず、使用者により選択肢が表示された領域をクリックすることで選択された状態と未選択の状態とが切り替えられる。
ただし、携帯端末の位置情報と災害情報の内容（災害規模、災害場所、災害日時など）に応じて、予め携帯端末が設定した選択肢が選択された状態で第３割り込み画面Ｐｉ３が表示される形態であってもよい。
例えば、携帯端末の位置情報に含まれる位置、及び災害場所が、同じ山間部である場合には、「ビーコン」が初期値として携帯端末によって選択され、携帯端末の位置情報に含まれる位置、及び災害場所が、同じ市街地である場合には、「犬笛」が初期値として携帯端末によって選択される形態が考えられる。
この場合、選択肢が表示された領域のクリックを使用者が行わなければ、携帯端末が設定した初期値の手段で、ＳＯＳ信号の発信が行われる。
【０１３１】
携帯端末は、第１選択種類表示領域７０２で選択された手段で、第７時間Ｔ７ごとに、ＳＯＳ信号の発信などを行う。
具体的には、ＳＯＳ信号として、「犬笛」若しくは「ビーコン」が選択された場合には、携帯端末の制御部１５は、発信部１７に犬笛若しくはビーコンに対応する周波数の信号の発信を行わせる。
ＳＯＳ信号として、「音声」が選択された場合には、携帯端末の制御部１５は、「たすけて」など所定の内容の音声をスピーカーから出力させる。
ＳＯＳ信号として、「光」が選択された場合には、携帯端末の制御部１５は、ストロボ発光部１８若しくは表示部１９に、発光させる。
ＳＯＳ信号として、「警察若しくは消防・救急への電話をすること」が選択された場合には、携帯端末の制御部１５は、通信部１１に警察若しくは消防・救急への発呼を行わせる。
また、「自動音声」が選択された場合には、通話状態になった後に、携帯端末の制御部１５は、通信部１１を介して、当該携帯端末の位置情報と救助依頼と当該携帯端末の使用者に関する情報（名称など）を含むメッセージ（例えば、「第１携帯端末Ｍ５１の使用者は、通話が難しい状況にあり、救助依頼をお願いします。第１携帯端末Ｍ５１の使用者は、２０１６年８月３日８時３３分現在、福岡県福岡市博多区青木１丁目３に居ます。」）を出力させる（読み上げる）。
ただし、電話の発呼は、１回だけ行われる形態であってもよい。
【０１３２】
ＳＯＳ信号として、複数の手段が選択された場合には、当該複数の手段で順次ＳＯＳ信号の発信が行われる。
例えば、ＳＯＳ信号として、「犬笛」と「ビーコン」と「音声」が選択された場合には、携帯端末の制御部１５は、発信部１７による犬笛に対応する周波数の信号の発信、発信部１７によるビーコンに対応する周波数の信号の発信、及び「たすけて」など所定の内容の音声のスピーカー出力を、順次行わせる。
【０１３３】
第３割り込み画面Ｐｉ３が表示されてから第６時間Ｔ６が経過するまでの間に、第１キャンセルボタン７０１ｂがクリックされた場合は、第３割り込み画面Ｐｉ３の割り込み表示が終了する。この場合は、当該携帯端末の使用モードは、通常モードが維持され、ＳＯＳモードへの切り替えは行われない。
【０１３４】
また、携帯端末は、第７時間Ｔ７ごとに、第４割り込み画面Ｐｉ４を表示する。
第４割り込み画面Ｐｉ４は、ＳＯＳモードを維持する旨のメッセージを含む第２通知領域７１１、ＳＯＳ信号を発信する手段を選択するための第２選択種類表示領域７１２を有する（図３０参照）。
【０１３５】
第２通知領域７１１には、第２発信確認ボタン７１１ａと第２キャンセルボタン７１１ｂが設けられる。
第４割り込み画面Ｐｉ４が表示されてから第６時間Ｔ６が経過するまでの間に、第２発信確認ボタン７１１ａがクリックされた場合、若しくは第４割り込み画面Ｐｉ４が表示されてから第６時間Ｔ６が経過するまでの間、第２発信確認ボタン７１１ａと第２キャンセルボタン７１１ｂのいずれもクリックされなかった場合に、ＳＯＳモードが維持され、携帯端末は、位置情報サーバー３０に対して、当該携帯端末の位置情報と、当該携帯端末の使用者からの救助依頼に関する情報を送信する。
また、第４割り込み画面Ｐｉ４の割り込み表示が終了する。
【０１３６】
第２選択種類表示領域７１２には、ＳＯＳ信号を発信する手段の選択肢が表示される。
図３０は、第２選択種類表示領域７１２に、「犬笛」、「ビーコン」、「音声」、「光」、「警察へ電話して通話する」、「警察へ電話（自動音声）」、「消防・救急へ電話して通話する」、「消防・救急へ電話（自動音声）」が選択肢として挙げられ、そのうち、「ビーコン」と「消防・救急へ電話して通話する」が選択された例を示す。
【０１３７】
第４割り込み画面Ｐｉ４を表示する際には、各選択肢が選択されておらず、使用者により選択肢が表示された領域をクリックすることで選択された状態と未選択の状態とが切り替えられる。
ただし、携帯端末の位置情報と災害情報の内容（災害規模、災害場所、災害日時など）に応じて、予め携帯端末が設定した選択肢が選択された状態で第４割り込み画面Ｐｉ４が表示される形態であってもよい。
【０１３８】
携帯端末は、第２選択種類表示領域７１２で選択された手段で、第７時間Ｔ７ごとに、ＳＯＳ信号の発信など行う。
ただし、電話の発呼は、１回だけ行われる形態であってもよい。
【０１３９】
第４割り込み画面Ｐｉ４が表示されてから第６時間Ｔ６が経過するまでの間に、第２キャンセルボタン７１１ｂがクリックされた場合は、第４割り込み画面Ｐｉ４の割り込み表示が終了する。
また、第４割り込み画面Ｐｉ４が表示されてから第６時間Ｔ６が経過するまでの間に、第２キャンセルボタン７１１ｂがクリックされた場合は、携帯端末は、位置情報サーバー３０に対して、当該携帯端末の位置情報と、当該携帯端末の使用者からの救助依頼キャンセルに関する情報を送信する。この場合は、当該携帯端末の使用モードは、ＳＯＳモードから通常モードに切り替えられる。
【０１４０】
ＳＯＳモード時は、第３割り込み画面Ｐｉ３や第４割り込み画面Ｐｉ４を表示したり、ＳＯＳ信号を発信したりする間を除く時間帯は、携帯端末の電力消費を少なくするため、携帯端末が休止状態若しくはスリープ状態にされ、次に、第４割り込み画面Ｐｉ４を表示させたり、ＳＯＳ信号を発信させたりする直前に、当該休止状態若しくはスリープ状態が解除される形態が望ましい。
【０１４１】
ただし、ＳＯＳ信号として少なくとも「犬笛」が選択されている場合には、携帯端末を休止状態やスリープ状態にせず、携帯端末に設けられたマイク１４を使って集音し、犬の鳴き声を含む音声が集音された時に、携帯端末の制御部１５は、発信部１７に犬笛に対応する周波数の信号の発信を行わせる形態であってもよい。
例えば、携帯端末の記録部１３は、犬の鳴き声に関する音声情報を記録しており、携帯端末の制御部１５は、集音された音声と記録部１３に記録した音声情報とを比較し、似通った波形パターンであれば、集音された音声に犬の鳴き声を含む音声が集音されていると判断する。
これにより、救助犬が近くに居る時に効率的に犬笛でＳＯＳ信号を発信することが可能になる。
【０１４２】
また、ＳＯＳ信号として少なくとも「犬笛」が選択されている場合には、携帯端末を休止状態やスリープ状態にせず、「犬笛」と「音声」でＳＯＳ信号を発信する形態であってもよい。
例えば、ＳＯＳモードに切り替えられた後、携帯端末の制御部１５は、発信部１７に犬笛に対応する周波数の信号の発信を行わせ、その後、携帯端末に設けられたマイク１４を使って集音し、犬の鳴き声を含む音声が集音された時に、「たすけて」など所定の内容の音声のスピーカー出力を行わせる形態が考えられる。
【０１４３】
犬笛に対応する周波数の信号の発信により、比較的遠隔地（約２〜４ｋｍ）に居る救助犬に携帯端末からのＳＯＳ発信を検知させ、当該救助犬や捜索者が近づいてきた後に、音声で携帯端末からのＳＯＳ信号を検知させる。これにより、犬笛に対応する周波数の信号だけの発信、若しくは音声だけの発信に比べて、携帯端末や当該携帯端末の使用者を見つけることが出来る可能性を高めることが出来る。
また、救助犬や捜索者に発見される可能性が高いタイミングで音声でのＳＯＳ信号を発信するため、常時、音声でＳＯＳ信号を発信する形態に比べて、携帯端末の電力消費を抑えることが可能になる。
【０１４４】
携帯端末から、位置情報と救助依頼に関する情報を受信すると、位置情報サーバー３０は、機関情報データベースＤ３に基づいて、外部サーバー９０のうちで、当該携帯端末の位置情報に対応する位置に関連する地域を管轄区域とする機関のものを特定し、当該特定した外部サーバー９０に対して、当該携帯端末の位置情報と救助依頼に関する情報を送信する。
また、携帯端末から、位置情報と救助依頼に関する情報を受信すると、位置情報サーバー３０は、これらの情報を送信した携帯端末の位置情報を更新し、且つＳＯＳパラメータｒｐを０から１に変更する。
【０１４５】
また、第１画面Ｐ１などで、通常モードからＳＯＳモードに切り替わった携帯端末の使用者の位置情報の近傍に第４マークｍａ４が表示される。
【０１４６】
例えば、使用者ＩＤ：１３、使用者名称：進の第５３携帯端末Ｍ５３において、救助依頼操作が行われると、位置情報データベースＤ１におけるＳＯＳパラメータｒｐが０から１に変更され、第１画面Ｐ１における使用者名称：進に対応する使用者マークに表示された第４マークｍａ４が点灯し、災害時やＳＯＳモード時に開示する位置情報の詳細度合い（第２詳細度パラメータｄｐ２）で位置情報が表示される（図３１、図３２参照）。
【０１４７】
携帯端末から、位置情報と救助依頼キャンセルに関する情報を受信すると、位置情報サーバー３０は、外部サーバー９０であって当該携帯端末の位置情報と救助依頼に関する情報を送信したものに対して、当該携帯端末の位置情報と救助依頼キャンセルに関する情報を送信する。
また、携帯端末から、位置情報と救助依頼キャンセルに関する情報を受信すると、位置情報サーバー３０は、これらの情報を送信した携帯端末の位置情報を更新し、且つＳＯＳパラメータｒｐを１から０に変更する。
【０１４８】
また、第１画面Ｐ１などで、ＳＯＳモードから通常モードに切り替わった携帯端末の使用者の位置情報の近傍の第４マークｍａ４の表示が解除される。
【０１４９】
本実施形態では、救助依頼ボタン１０５ｅを操作するだけで、位置情報と救助依頼に関する情報を位置情報サーバー３０、及び位置情報サーバー３０経由で当該位置情報に関連する地域の外部サーバー９０に送信される。
このため、携帯端末の位置に近い行政機関などの外部サーバー９０の操作者に、救助依頼操作が行われた携帯端末の位置情報など、救助が必要となった使用者に関する情報を知らせることが可能になる。
【０１５０】
また、救助依頼操作が行われた携帯端末では、犬笛など、所定の手段でＳＯＳ信号を発信する。
このため、携帯端末の近くに来た救助者などに、当該携帯端末の存在を知らせることが可能になる。
【０１５１】
また、救助依頼操作が行われた携帯端末では、第７時間Ｔ７ごとに、ＳＯＳモードを維持するか否かを確認するための画面表示（第４割り込み画面Ｐｉ４の表示）が行われる。
このため、当該携帯端末の使用者は、一定間隔（第７時間Ｔ７）ごとに、ＳＯＳモードを続けるか否かを判断することが可能になる。
【０１５２】
なお、本実施形態では、使用者による手動操作（使用者が救助依頼ボタン１０５ｅ、若しくは、第２割り込み画面Ｐｉ２上の「無事でないことを報告する」ボタン６１０をクリックすること）により、通常モードからＳＯＳモードに切り替わる形態を説明したが、所定の条件の下で自動的に、通常モードからＳＯＳモードに切り替わる形態であってもよい。
【０１５３】
例えば、第１災害情報であって、第１災害情報に対応する災害場所と携帯端末の位置情報に対応する位置との距離が距離閾値よりも短いこと（第１条件）、第１災害情報の発信後から第８時間Ｔ８（例えば、Ｔ８＝１．５時間）が経過するまでの間、携帯端末の位置の変化量が変化量閾値よりも少ないこと（第２条件）、第１災害情報の発信後から第８時間Ｔ８が経過するまでの間に、携帯端末から位置情報サーバー３０へ情報を送信するための操作（第１操作と第２操作と救助依頼操作のいずれも）が行われていないこと（第３条件）のうち、２以上の条件が当てはまる場合に、当該携帯端末の使用モードが通常モードからＳＯＳモードに切り替えられる形態が考えられる。
【０１５４】
かかる所定の条件にあてはまるか否かの判断は、携帯端末が行う形態であってもよいし、位置情報サーバー３０が行う形態であってもよい。
【０１５５】
これにより、災害によって意識を失うなど、携帯端末を操作することが出来ない状態でも、上述の所定の条件下で、自動的に救助依頼に関する情報などを位置情報サーバー３０、及び位置情報サーバー３０経由で外部サーバー９０に知らせることが可能になる。
【０１５６】
なお、距離閾値や変化量閾値は、災害情報の内容に応じて変動するものであってもよい。例えば、災害規模が大きい場合には、距離閾値や変化量閾値を大きくし、災害規模が小さい場合には、距離閾値や変化量閾値を小さくする形態が考えられる。
【０１５７】
また、自動的にＳＯＳモードに切り替わった場合には、ＳＯＳ信号の発信手段は、「犬笛」と「ビーコン」と「音声」と「光」と「警察へ電話（自動音声）」と「消防・救急へ電話（自動音声）」の中から、選択される。
【符号の説明】
【０１５８】
１  位置情報出力システム
１１  通信部
１３  記録部
１４  マイク
１５  制御部
１７  発信部
１８  ストロボ発光部
１９  表示部
２０  情報源発信部
３０  位置情報サーバー
３１  サーバー通信部
３３  サーバー記録部
３５  サーバー制御部
７０  入出力端末
９０  外部サーバー
１０１  第１災害情報表示領域
１０１ａ  「災害取り消し情報であること」を示す文字表示領域
１０３  第１使用者位置情報表示領域
１０３ａ  位置通知ボタン
１０３ｂ  第１グループ名称表示領域
１０５  画面切替ボタン表示領域
１０５ａ  ホームボタン
１０５ｂ  災害情報ボタン
１０５ｃ  避難所ボタン
１０５ｄ  マイページボタン
１０５ｅ  救助依頼ボタン
２０１  戻るボタン
２０３  グループチャット表示領域
２０３ａ  第２グループ名称表示領域
２０３ｂ  チャット表示領域
２０３ｂ１  第１メッセージ入力領域
２０３ｂ２  第１送信ボタン
２０３ｂ３  第１画像データ送信操作ボタン
２０３ｂ４  第１音声データ送信操作ボタン
３０１  災害時系列表示領域
４０１  第３災害情報表示領域
４０２  切替ボタン
４０３  第２使用者位置情報表示領域
５０１  第２災害情報表示領域
５０１ａ  ＯＫボタン
６０１  「無事を報告する」ボタン
６０２  「無事」ボタン
６０３  「メッセージを送信する」ボタン
６０４  第２メッセージ入力領域
６０５  第２送信ボタン
６０６  入力キー領域
６０７  第２画像データ送信操作ボタン
６０８  第２音声データ送信操作ボタン
６０９  画像データ表示領域
６１０  「無事でないことを報告する」ボタン
７０１  第１通知領域
７０２  第１選択種類表示領域
７０１ａ  第１発信確認ボタン
７０１ｂ  第１キャンセルボタン
７１１  第２通知領域
７１１ａ  第２発信確認ボタン
７１１ｂ  第２キャンセルボタン
７１２  第２選択種類表示領域
Ｄ１  位置情報データベース
Ｄ２  グループ情報データベース
Ｄ３  機関情報データベース
ｄｐ１、ｄｐ２  第１詳細度パラメータ、第２詳細度パラメータ
Ｍ５１〜Ｍ５６  第５１携帯端末〜第５６携帯端末
ｍａ１〜ｍａ４  第１マーク〜第４マーク
Ｐ１〜Ｐ６  第１画面〜第４画面
Ｐｉ１〜Ｐｉ４  第１割り込み画面〜第４割り込み画面
ｓｐ  安否種類パラメータ
Ｔ１〜Ｔ８  第１時間〜第８時間
Ｔｅ１、Ｔｅ２  第１期間、第２期間
【図１】
2020048093.tif 000003
【図２】
2020048093.tif 000004
【図３】
2020048093.tif 000005
【図４】
2020048093.tif 000006
【図５】
2020048093.tif 000007
【図６】
2020048093.tif 000008
【図７】
2020048093.tif 000009
【図８】
2020048093.tif 000010
【図９】
2020048093.tif 000011
【図１０】
2020048093.tif 000012
【図１１】
2020048093.tif 000013
【図１２】
2020048093.tif 000014
【図１３】
2020048093.tif 000015
【図１４】
2020048093.tif 000016
【図１５】
2020048093.tif 000017
【図１６】
2020048093.tif 000018
【図１７】
2020048093.tif 000019
【図１８】
2020048093.tif 000020
【図１９】
2020048093.tif 000021
【図２０】
2020048093.tif 000022
【図２１】
2020048093.tif 000023
【図２２】
2020048093.tif 000024
【図２３】
2020048093.tif 000025
【図２４】
2020048093.tif 000026
【図２５】
2020048093.tif 000027
【図２６】
2020048093.tif 000028
【図２７】
2020048093.tif 000029
【図２８】
2020048093.tif 000030
【図２９】
2020048093.tif 000031
【図３０】
2020048093.tif 000032
【図３１】
2020048093.tif 000033
【図３２】
2020048093.tif 000034
【図３３】
2020048093.tif 000035